(57)【要約】【課題】容易に、試聴環境の空間に溶け込むような効果を得ることが可能な装置を提供すること。【解決手段】音声再生装置１は、再生された音声信号が出力されるスピーカー４と、スピーカー４から出力される音声を含む音声を集音するマイク５と、マイク５により集音された音声をイコライジングするイコライザー６と、イコライザー６によりイコライジングされた音声と、音声信号と、を合成し、スピーカー４に出力する加算器７と、を備える。【選択図】図１
2020112720.tif 000002
【特許請求の範囲】
【請求項１】
再生された音声信号が出力されるスピーカーと、
前記スピーカーから出力される音声を含む音声を集音するマイクと、
前記マイクにより集音された音声と、前記音声信号と、を合成し、前記スピーカーに出力する加算器と、を備えることを特徴とする音声再生装置。
【請求項２】
前記マイクにより集音された音声をイコライジングするイコライザーをさらに備え、
前記加算器は、前記イコライザーによりイコライジングされた音声と、前記音声信号と、を合成し、前記スピーカーに出力することを特徴とする請求項１に記載の音声再生装置。
【請求項３】
前記イコライザーは、低域を増強するイコライジングを行うことを特徴とする請求項２に記載の音声再生装置。
【請求項４】
前記イコライザーは、ＲＩＡＡカーブに基づいたイコライジングを行うことを特徴とする請求項２に記載の音声再生装置。
【請求項５】
前記音声信号を増幅し、前記スピーカーに出力する増幅器をさらに備え、
前記加算器は、前記イコライザーによりイコライジングされた音声と、前記音声信号と、を合成し、前記増幅器に出力することを特徴とする請求項１〜４のいずれか１項に記載の音声再生装置。
【請求項６】
再生された音声信号をスピーカーに出力し、
前記スピーカーから出力される音声を含む音声を集音し、
集音した音声と、前記音声信号と、を合成し、前記スピーカーに出力することを特徴とする音声再生方法。
【発明の詳細な説明】
【技術分野】
【０００１】
本発明は、音声を再生する音声再生装置、及び、音声再生方法に関する。
【背景技術】
【０００２】
音声を再生する音声再生装置において、サラウンド感やイコライジング（ＥＱ）を、予めプログラミングされた音場機能や、マイクを使用して試聴環境の音場を測定し、音響補正を行うものはあった。特許文献１には、マイクを使用して試聴環境の音場を測定し、音響補正を行う発明が開示されている。音声再生装置により、ＣＤやデジタルの音声が再生された場合、とてもクオリティーの高い再生音が得られる。
【先行技術文献】
【特許文献】
【０００３】
【特許文献１】特開２００５−１５１４０３号公報
【発明の概要】
【発明が解決しようとする課題】
【０００４】
しかしながら、ＣＤやデジタルの音源で低音をさらに豊かに再生するために、音声再生と同時に、マイクで集音し、その音声を利用し、元のスピーカーで再生を行う機器はなかった。また、試聴環境の空間に溶け込むような効果を得るには、大掛かりな音響調整作業が必要である。
【０００５】
本発明の目的は、容易に、試聴環境の空間に溶け込むような効果を得ることが可能な装置を提供することである。
【課題を解決するための手段】
【０００６】
第１の発明の音声再生装置は、再生された音声信号が出力されるスピーカーと、前記スピーカーから出力される音声を含む音声を集音するマイクと、前記マイクにより集音された音声と、前記音声信号と、を合成し、前記スピーカーに出力する加算器と、を備えることを特徴とする。
【０００７】
本発明では、加算器は、マイクにより集音された音声と、音声信号と、を合成し、スピーカーに出力する。マイクにより集音された音声は、試聴環境の壁や物理的反射面で起こる反射音を含んでいる。このため、本発明では、試聴環境の反射反響音を再生することができることから、試聴空間と同じ音響を再生し、スピーカーからは、部屋と違和感ない音響が得られ、容易に、空間に溶け込むような効果を得ることができる。
【０００８】
第２の発明の音声再生装置は、第１の発明の音声再生装置において、前記マイクにより集音された音声をイコライジングするイコライザーをさらに備え、前記加算器は、前記イコライザーによりイコライジングされた音声と、前記音声信号と、を合成し、前記スピーカーに出力することを特徴とする。
【０００９】
第３の発明の音声再生装置は、第２の発明の音声再生装置において、前記イコライザーは、低域を増強するイコライジングを行うことを特徴とする。
【００１０】
本発明では、イコライザーは、低域を増強するイコライジングを行う。これにより、低域を増強した再生音を得ることができる。
【００１１】
第４の発明の音声再生装置は、第２の発明の音声再生装置において、前記イコライザーは、ＲＩＡＡカーブに基づいたイコライジングを行うことを特徴とする。
【００１２】
本発明では、イコライザーは、ＲＩＡＡカーブに基づいたイコライジングを行う。これにより、アナログレコードの雰囲気を得ることが可能となる。
【００１３】
第５の発明の音声再生装置は、第１〜第４のいずれかの発明の音声再生装置において、前記音声信号を増幅し、前記スピーカーに出力する増幅器をさらに備え、前記加算器は、前記イコライザーによりイコライジングされた音声と、前記音声信号と、を合成し、前記増幅器に出力することを特徴とする。
【００１４】
第６の発明の音声再生方法は、再生された音声信号をスピーカーに出力し、前記スピーカーから出力される音声を含む音声を集音し、集音した音声と、前記音声信号と、を合成し、前記スピーカーに出力することを特徴とする。
【発明の効果】
【００１５】
本発明によれば、容易に、空間に溶け込むような効果を得ることができる。
【図面の簡単な説明】
【００１６】
【図１】本発明の第１実施形態に係る音声再生装置の構成を示すブロック図である。
【図２】本発明の第２実施形態に係る音声再生装置の構成を示すブロック図である。
【発明を実施するための形態】
【００１７】
以下、本発明の実施形態について説明する。図１は、本発明の第１実施形態に係る音声再生装置の構成を示すブロック図である。音声再生装置１は、再生部２、増幅器３、スピーカー４、マイク５、イコライザー６、加算器７を備える。再生部２は、デジタル信号又はアナログ音声信号を再生する。再生部２は、例えば、デジタル信号をアナログ音声信号にＤ／Ａ変換するＤ／Ａコンバータを含む。増幅器３は、再生部２から出力される音声信号を増幅する。スピーカー４は、増幅器３から出力される音声信号に基づいて、音声を再生する。マイク４は、スピーカー４から出力される音声を含む音声を集音する。
【００１８】
イコライザー５は、マイク４により集音された音声をイコライジングする。イコライザー５は、ＤＳＰ（Digital Signal Processor）から構成される。イコライザー５は、例えば、低域を増強するイコライジングを行う。加算器７は、イコライザー５によりイコライジングされた音声と、再生部２から出力される音声信号と、を合成し、増幅器３に出力する。従って、スピーカー４は、音声信号と、マイクにより集音された音声と、が合成された音声信号に基づいて、音声を再生する。
【００１９】
低音の増強には、出力エネルギーの増加を取ることと、音声出力時間の延長と、が効果的である。スピーカー４とマイク５とには、物理的空間が存在し、そこにある空気によって音声が伝搬される。そのため、スピーカー４とマイク５の集音とには、時間差が生じている。マイク５で集音した音声の任意に選択、調整した低音部を取り出し、元の音源と足し合わせて、増幅器に入力することで、元の音源と時間差をもって、任意の低音が、加算増幅される。つまり、初めに挙げた低音の増強の要素である、エネルギーの増加と音声出力時間の延長が、マイク５を使用する本実施形態に係る音声再生装置１で達成することができる。
【００２０】
図２は、本発明の第２実施形態に係る音声再生装置の構成を示すブロック図である。第２実施形態に係る音声再生装置１の構成は、第１実施形態に係る音声再生装置１と同様であるが、マイク５による音声の集音と、イコライザー６によるイコライジングと、が異なる。マイク５は、スピーカー４から再生される音声に加え、スピーカー４から再生された音声が、壁・床等によって反射された反射音も集音する。イコライザー６は、ＲＩＡＡカーブに基づいたイコライジングを行う。
【００２１】
フィードバック系に設置されたイコライザー６において、イコライジングに、ＲＩＡＡカーブを採用することで、アナログレコードの雰囲気を得ることが可能となる。これは、一般的に知られているアナログレコードの音響フィードバックよるハウリングでもわかるとおり、スピーカー４で再生した音声を、アナログレコードの針が受振し、元の音声と加算合成している仕組みと似た仕組みが得られているからである。
【００２２】
これらとは別の効果として、試聴環境に溶け込みやすい再生音が得られる。マイクは、試聴環境の壁や天井等の物理的反射面で起こる反射音も集音している。試聴したい音声だけを再生したり、予め機器にプログラミングされた反響音を再生したりした場合、得られる効果は、それらの音声や反響効果を持たせた音声そのものであるため、視聴空間とは違った音響空間が生まれる。本実施形態では、試聴環境の反射反響音を再生できることから、試聴空間と同じ音響を再生し、スピーカー４からは部屋と違和感ない音響が得られ、空間に溶け込むような効果が得やすくなる。
【００２３】
このように、本実施形態によれば、容易に、試聴環境の空間に溶け込むような効果を得ることが可能である。
【００２４】
なお、再生部２は、例えば、増幅器３にアナログ又はデジタル音声信号を出力するＣＤプレーヤーから構成されており、増幅器３は、アナログ又はデジタル音声信号を増幅するＡＶアンプにより構成されていてもよい。また、再生部２は、アナログレコードプレイヤーではない。
【００２５】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００２６】
本発明は、音声を再生する音声再生装置、及び、音声再生方法に好適に採用され得る。
【符号の説明】
【００２７】
１  音声再生装置
２  再生部
３  増幅器
４  スピーカー
５  マイク
６  イコライザー
７  加算器
【図１】
2020112720.tif 000003
【図２】
2020112720.tif 000004